(57)【要約】【課題】過去に実施された複数の模擬試験の結果情報に基づき、総合的な試験結果情報を提供するとともに、当該試験結果情報に基づく合否判定情報を提供する。【解決手段】試験結果情報提供サーバ１５０は、入学希望者クライアント１１０の入学希望者用アプリケーション１１１等から送信された閲覧要求を受け付け、アプリケーションコードに基づき入学希望者等の認証・特定を行うアプリケーションコード認証部１５４と、各入学希望者について試験結果情報管理データベース１６４に登録された過去の試験結果を集計する試験結果集計部１５６と、試験結果集計部１５６の集計結果に基づき合否予想判定を行う試験結果判定部１５７とを備え、集計結果及び合否予想判定結果を入学希望者クライアント１１０等に送信して閲覧可能とする。【選択図】　　　図１
2004126853.tif 000002
【特許請求の範囲】
【請求項１】
模擬試験実施校のクライアント端末及び入学希望者のクライアント端末に対しネットワークを介して接続され、前記模擬試験実施校により実施された試験結果を登録し、前記入学希望者のクライアント端末に対して提供する試験結果情報提供サーバを備えた試験結果情報提供システムであって、
前記試験結果情報提供サーバは、
前記入学希望者の識別情報及び各入学希望者が入学を希望する入学試験実施校の識別情報を含む登録情報を格納する登録情報格納手段と、
前記入学試験実施校の識別情報及び合否予想判定基準情報を格納した入学試験実施校情報格納手段と、
前記模擬試験実施校のクライアント端末又は前記入学希望者のクライアント端末から送信された前記入学希望者の試験結果を格納する試験結果情報格納手段と、
前記入学希望者のクライアント端末から試験結果情報閲覧要求が送信された場合に、当該試験結果情報閲覧要求に含まれる前記入学希望者の識別情報に基づき、前記試験結果情報格納手段から取得した過去の試験結果の一部又は全部を集計する試験結果集計手段と、
前記試験結果情報閲覧要求に含まれる前記入学希望者の識別情報に基づき、前記入学希望者情報格納手段から前記入学試験実施校の識別情報を取得し、当該識別情報に基づき前記入学希望校情報格納手段に格納された合否判定基準情報と前記試験結果集計手段から取得した集計結果とを比較して合否予想判定を行い、前記集計結果と前記合否予想判定結果とを含む試験結果情報を入学希望者のクライアント端末に送信する試験結果判定手段と
を備えることを特徴とする試験結果情報提供システム。
【請求項２】
前記試験結果集計手段は、前記模擬試験実施校のクライアント端末から試験結果情報閲覧要求が送信された場合に、当該試験結果情報閲覧要求に含まれる入学希望者の識別情報に基づいて入学希望者を特定し、当該入学希望者について前記試験結果情報格納手段から取得した過去の試験結果の一部又は全部を集計する手段をさらに備え、
前記試験結果判定手段は、前記試験結果情報閲覧要求に含まれる前記入学希望者の識別情報及び前記試験結果集計手段に基づき前記合否予想判定を行い、前記集計結果と前記合否予想判定結果とを含む試験結果情報を入学希望者のクライアント端末に送信する手段をさらに備えることを特徴とする請求項１に記載の試験結果情報提供システム。
【請求項３】
前記試験結果集計手段は、前記試験結果情報閲覧要求に含まれる入学希望者の識別情報に基づき、前記入学希望者情報格納手段から前記入学試験実施校の識別情報を取得するとともに、取得した入学試験実施校の識別情報に基づき同一校を希望する他の入学希望者の識別情報を取得し、当該他の入学希望者の識別情報に基づき前記試験結果情報格納手段から取得した過去の試験結果の一部又は全部を集計する手段をさらに備え、
前記試験結果判定手段は、前記入学希望者についての集計結果と前記他の入学希望者についての集計結果とを比較して前記入学希望者の順位を判定し、当該順位を前記試験結果情報に含めて前記入学希望者又は前記模擬試験実施校のクライアント端末に送信する手段をさらに備えることを特徴とする請求項１又は２に記載の試験結果情報提供システム。
【請求項４】
前記試験結果情報提供サーバは、入学試験実施校のクライアント端末に対しネットワークを介して接続されるものとし、
前記入学試験実施校のクライアント端末から入学試験の試験結果を含む試験結果情報閲覧要求が送信された場合に、当該試験結果情報閲覧要求に含まれる複数の入学希望者の識別情報に基づき前記試験結果情報格納手段から取得した過去の試験結果の一部又は全部と前記入学試験の試験結果とを集計する手段をさらに備え、
前記試験結果判定手段は、前記各入学希望者について前記試験結果集計手段の集計結果を比較して前記各入学希望者の順位を判定し、前記集計結果と前記順位とを含む試験結果情報を入学試験実施校のクライアント端末に送信する手段をさらに備えることを特徴とする請求項１〜３のいずれかに記載の試験結果情報提供システム。
【請求項５】
前記試験結果情報提供サーバは、
入学希望者、模擬試験実施校又は入学試験実施校の各クライアント端末から送信されたユーザ登録要求を受け付け、各入学希望者、模擬試験実施校又は入学試験実施校を一意に識別するためのクライアント識別情報を生成する識別情報生成手段と、
前記各クライアント端末での試験結果の登録又は閲覧の際に用いられ、前記クライアント識別情報が組み込まれたアプリケーションを生成して、前記各クライアント端末に送信するアプリケーション生成手段と、
前記アプリケーションに組み込まれたクライアント識別情報を含む試験結果情報登録要求又は試験結果情報閲覧要求を各クライアント端末から受信した場合に、当該試験結果情報登録要求又は試験結果情報閲覧要求に含まれるクライアント識別情報を取得して各入学希望者、模擬試験実施校又は入学試験実施校の認証及び特定を行うクライアント識別情報認証手段と
をさらに備えることを特徴とする請求項１〜４のいずれかに記載の試験結果情報提供システム。
【発明の詳細な説明】
【０００１】
【発明の属する技術分野】
本発明は、中学，高校，大学等の入学希望者が受けた模擬試験の試験結果情報をインターネットを介して提供するシステムに関し、特に、入学希望者に対し過去の総合的な試験結果情報の提供と当該試験結果情報に基づく合否予想判定を行うシステムに関する。
【０００２】
【従来の技術】
従来、テスト会社，受験予備校等の模擬試験実施校で実施された試験の結果情報をネットワークを介して各入学希望者に提供するシステムとして、インターネット等のネットワークを介して入学希望者クライアントとしてのユーザ端末で実施した模擬試験の結果情報と当該結果情報に基づく合否判定情報を提供するサーバを備えたシステムが公知となっている（例えば、特許文献１参照。）。
【０００３】
【特許文献１】
特開２００２−７２８５７号公報（第９−１０頁，図１７，図２２）
【０００４】
【発明が解決しようとする課題】
しかし、前記特許文献１のシステムは、各入学希望者が受けた模擬試験毎の試験結果と当該試験結果に基づく合否判定を行うものであり、過去の複数の模擬試験結果の集計及び合否判定を行うものでは無いため、各入学希望者は過去の試験結果に基づく総合的な学力判定を行うことができなかった。
また、一般に受験予備校等の模擬試験実施校では、各校毎に実施した模擬試験の結果情報のみを管理し、他の模擬試験実施校で実施した模擬試験の結果情報については把握していなかった。従って、複数の模擬試験実施校で模擬試験を受けた入学希望者は、各模擬試験毎の結果情報及び合否判定情報を独自に集計等して進路の決定を行うことが必要となっていたため、客観的な判断を行うことが困難であった。
【０００５】
本発明は上記課題を解決するためのものであり、過去に実施された複数の模擬試験結果の集計及び当該集計結果に基づく合否判定を行うことにより、過去の試験結果に基づく総合的な学力判定を可能とするシステムの提供を目的とするものである。
【０００６】
【課題を解決するための手段】
前記課題を解決するため本発明は、模擬試験実施校のクライアント端末及び入学希望者のクライアント端末に対しネットワークを介して接続され、前記模擬試験実施校により実施された試験結果を登録し、前記入学希望者のクライアント端末に対して提供する試験結果情報提供サーバを備えた試験結果情報提供システムであって、前記試験結果情報提供サーバは、前記入学希望者の識別情報及び各入学希望者が入学を希望する入学試験実施校の識別情報を含む登録情報を格納する登録情報格納手段と、前記入学試験実施校の識別情報及び合否予想判定基準情報を格納した入学試験実施校情報格納手段と、前記模擬試験実施校のクライアント端末又は前記入学希望者のクライアント端末から送信された前記入学希望者の試験結果を格納する試験結果情報格納手段と、前記入学希望者のクライアント端末から試験結果情報閲覧要求が送信された場合に、当該試験結果情報閲覧要求に含まれる前記入学希望者の識別情報に基づき、前記試験結果情報格納手段から取得した過去の試験結果の一部又は全部を集計する試験結果集計手段と、前記試験結果情報閲覧要求に含まれる前記入学希望者の識別情報に基づき、前記入学希望者情報格納手段から前記入学試験実施校の識別情報を取得し、当該識別情報に基づき前記入学希望校情報格納手段に格納された合否判定基準情報と前記試験結果集計手段から取得した集計結果とを比較して合否予想判定を行い、前記集計結果と前記合否予想判定結果とを含む試験結果情報を入学希望者のクライアント端末に送信する試験結果判定手段とを備えることを特徴とする。
また、前記試験結果集計手段は、前記模擬試験実施校のクライアント端末から試験結果情報閲覧要求が送信された場合に、当該試験結果情報閲覧要求に含まれる入学希望者の識別情報に基づいて入学希望者を特定し、当該入学希望者について前記試験結果情報格納手段から取得した過去の試験結果の一部又は全部を集計する手段をさらに備え、前記試験結果判定手段は、前記試験結果情報閲覧要求に含まれる前記入学希望者の識別情報及び前記試験結果集計手段に基づき前記合否予想判定を行い、前記集計結果と前記合否予想判定結果とを含む試験結果情報を入学希望者のクライアント端末に送信する手段をさらに備えることを特徴とする。
また、前記試験結果集計手段は、前記試験結果情報閲覧要求に含まれる入学希望者の識別情報に基づき、前記入学希望者情報格納手段から前記入学試験実施校の識別情報を取得するとともに、取得した入学試験実施校の識別情報に基づき同一校を希望する他の入学希望者の識別情報を取得し、当該他の入学希望者の識別情報に基づき前記試験結果情報格納手段から取得した過去の試験結果の一部又は全部を集計する手段をさらに備え、前記試験結果判定手段は、前記入学希望者についての集計結果と前記他の入学希望者についての集計結果とを比較して前記入学希望者の順位を判定し、当該順位を前記試験結果情報に含めて前記入学希望者又は前記模擬試験実施校のクライアント端末に送信する手段をさらに備えることを特徴とする。
【０００７】
また、前記前記試験結果情報提供サーバは、入学試験実施校のクライアント端末に対しネットワークを介して接続されるものとし、前記入学試験実施校のクライアント端末から入学試験の試験結果を含む試験結果情報閲覧要求が送信された場合に、当該試験結果情報閲覧要求に含まれる複数の入学希望者の識別情報に基づき前記試験結果情報格納手段から取得した過去の試験結果の一部又は全部と前記入学試験の試験結果とを集計する手段をさらに備え、前記試験結果判定手段は、前記各入学希望者について前記試験結果集計手段の集計結果を比較して前記各入学希望者の順位を判定し、前記集計結果と前記順位とを含む試験結果情報を入学試験実施校のクライアント端末に送信する手段をさらに備えることを特徴とする。
【０００８】
また、前記試験結果情報提供サーバは、入学希望者、模擬試験実施校又は入学試験実施校の各クライアント端末から送信されたユーザ登録要求を受け付け、各入学希望者、模擬試験実施校又は入学試験実施校を一意に識別するためのクライアント識別情報を生成する識別情報生成手段と、前記各クライアント端末での試験結果の登録又は閲覧の際に用いられ、前記クライアント識別情報が組み込まれたアプリケーションを生成して、前記各クライアント端末に送信するアプリケーション生成手段と、前記アプリケーションに組み込まれたクライアント識別情報を含む試験結果情報登録要求又は試験結果情報閲覧要求を各クライアント端末から受信した場合に、当該試験結果情報登録要求又は試験結果情報閲覧要求に含まれるクライアント識別情報を取得して各入学希望者、模擬試験実施校又は入学試験実施校の認証及び特定を行うクライアント識別情報認証手段とをさらに備えることを特徴とする。
【０００９】
【発明の実施の形態】
以下、本発明の実施の形態について図面に基づき説明する。
図１は、本発明の一実施の形態に係る試験情報提供システムの概略構成を示すブロック図である。
試験情報提供システムは、入学希望者クライアント１１０，模擬試験実施校クライアント１２０，入学試験実施校クライアント１３０を構成するパーソナルコンピュータ又は携帯端末等の各クライアント端末に対してネットワーク１４０を介して接続された試験結果情報提供サーバ１５０で構成される。ここで、模擬試験実施校クライアントを備える模擬試験実施校には、受験予備校，テスト会社等の他、各入学希望者の在籍する学校も含まれる。
試験結果情報提供サーバ１５０は、ユーザ登録受付部１５１，アプリケーションコード生成部１５２，アプリケーション生成部１５３，アプリケーションコード認証部１５４，試験結果情報登録部１５５，試験結果集計部１５６及び試験結果判定部１５７の各処理部を備えている。また、入学希望者管理データベース１６１，模擬試験実施校管理データベース１６２，入学試験実施校管理データベース１６３及び試験結果情報管理データベース１６４の各データベースを備えている。
ユーザ登録受付部１５１，アプリケーションコード生成部１５２及びアプリケーション生成部１５３の各処理部は、各クライアント１１０，１２０，１３０の登録に関する処理を行う。アプリケーションコード生成部１５２は、入学希望者，模擬試験実施校，入学試験実施校のそれぞれを一意に識別する識別用コードを生成し、アプリケーション生成部１５３は、識別用コードが組み込まれた各クライアント用のアプリケーション１１１，１２１，１３１を生成する。
アプリケーションコード認証部１５４，試験結果情報登録部１５５，試験結果集計部１５６及び試験結果判定部１５７の各処理部は、入学希望者クライアント１１０又は模擬試験実施校クライアント１２０から受信した試験結果情報を登録し、入学希望者クライアント１１０又は入学試験実施校クライアント１３０に前記試験結果に基づく試験情報を提供して各クライアントのアプリケーション１１１，１２１，１３１での閲覧を可能とする。この場合、アプリケーションコード認証部１５４は、各クライアント用のアプリケーション１１１，１２１，１３１から送信されたアプリケーションコードに基づき入学希望者，模擬試験実施校，入学試験実施校の認証及び特定を行う。
【００１０】
図２は、入学希望者管理データベース１６１のデータ構造の一例を示す図である。
入学希望者管理データベース１６１は、入学希望者クライアント１１０から送信されたユーザ登録情報としての入学希望者情報を格納するものであり、利用者コード２０１、氏名２０２、学年２０３、年齢２０４、入学希望校名２０５、郵便番号２０６、住所２０７、電話番号２０８、入学希望者用のアプリケーションコード２０９等の各情報を有している。なお、図示は省略しているが、各入学希望者の在籍校名等の情報も含まれる。
利用者コード２０１は、模擬試験実施校クライアント１２０，入学試験実施校クライアント１３０からの要求に応じて試験結果情報の登録処理又は閲覧処理等を行う際に、各入学希望者を一意に識別するためのコードである。
入学希望校名２０５については、入学実施校の名称又は入学試験実施校管理データベース１６３に含まれる入学試験実施校コードが格納される。
アプリケーションコード２０９は、各入学希望者クライアント１１０からの登録要求又は閲覧要求に応じて各処理を行う際に、入学希望者の認証及び特定を行うためのコードである。
【００１１】
図３は、模擬試験実施校管理データベース１６２のデータ構造の一例を示す図である。
模擬試験実施校管理データベース１６２は、模擬試験実施校クライアント１２０から送信されたユーザ登録情報を格納するものであり、模擬試験実施校コード３０１、模擬試験実施校の名称３０２、模擬試験実施校用のアプリケーションコード３０３等の各情報を有している。
模擬試験実施校コード３０１は、入学希望者クライアント１１０からの要求に応じて試験結果情報の登録処理を行う際に、各模擬試験実施校を一意に識別するためのコードである。
アプリケーションコード３０３は、各模擬試験実施校クライアント１２０からの登録要求又は閲覧要求に応じて各処理を行う際に、模擬試験実施校の認証及び特定を行うためのコードである。
【００１２】
図４は、入学試験実施校管理データベース１６３のデータ構造の一例を示す図である。
入学試験実施校管理データベース１６３は、入学試験実施校クライアント１６３から送信されたユーザ登録情報を格納するものであり、入学試験実施校コード４０１、入学試験実施校の名称４０２、安全合格圏偏差値４０３、標準合格圏偏差値４０４、合格挑戦圏偏差値４０５、合格低率偏差値４０６、入学試験実施校用のアプリケーションコード４０７等の各種情報を有している。なお、図示は省略しているが、各入学試験実施校の実施する入学試験の科目を格納することとしてもよい。
入学試験実施校コード４０１は各入学試験実施校を一意に識別するためのコードであり、アプリケーションコード４０７は各入学試験実施校クライアント１３０からの登録・閲覧要求に応じて各処理を行う際に、入学試験実施校の認証及び特定を行うためのコードである。
各偏差値４０３〜４０６は、試験結果判定部１５７による合否予想判定を行う際に基準となる偏差値を示すものであり、安全合格圏，標準合格圏，合格挑戦圏，合格低率の各判定結果毎に該当する偏差値の範囲が予め設定されている。各判定結果毎の偏差値の範囲は、例えば、各入学試験実施校を過去に受験した者の試験結果情報を集計して設定する。
【００１３】
図５は、試験結果情報管理データベース１６４のデータ構造の一例を示す図である。
試験結果情報管理データベース１６４は、各入学希望者の試験結果に関する情報を格納するものであり、利用者コード５０１、試験実施校コード５０２、実施日５０３、試験名５０４、点数５０５、偏差値５０６、順位５０７、科目名５０８等の各種情報を有している。
利用者コード５０１は、入学希望者管理データベース１６１の利用者コード２０１を示している。
試験実施校コード５０２は、模擬試験実施校管理データベース１６２の模擬試験実施校コード３０１又は入学試験実施校管理データベース１６３の入学試験実施校コード４０１を示している。
【００１４】
以上の構成により、各入学試験希望者の試験結果情報の登録，閲覧等の各処理方法を説明する。
まず、試験情報提供システムによる試験情報の登録，閲覧を行うためには、入学希望者，模擬試験実施校，入学試験実施校のそれぞれが予めユーザ登録を行うことが必要となる。
図６，図７，図８は、それぞれ入学希望者，模擬試験実施校，入学試験実施校の各ユーザ登録の処理手順を示すフローチャートである。
入学希望者のユーザ登録処理では、試験結果情報提供サーバ１５０がネットワーク１４０を介して入学希望者クライアント１１０のアクセスを受け付け、入学希望者により入力されたユーザ登録情報としての入学希望者登録情報を入学希望者クライアント１１０から受信する（ステップ６０１）。ここで、入学希望者登録情報には、各入学希望者の氏名，学年，年齢，入学希望校名，郵便番号，住所，電話番号等の情報が含まれる。
試験結果情報提供サーバ１５０のユーザ登録受付部１５１は、受信した入学希望者登録情報を入学希望者管理データベース１６１に格納する（ステップ６０２）。この際、各入学希望者を識別するための利用者コードを生成して格納する。アプリケーションコード生成部１５２は、入学希望者クライアント１１０を一意に識別するアプリケーションコードを生成し（ステップ６０３）、生成したアプリケーションコードを入学希望者管理データベース１６１に格納する（ステップ６０４）。
アプリケーション生成部１５３は、アプリケーションコード生成部１５２からアプリケーションコードを取得して当該アプリケーションコードを組み込んだ入学希望者用アプリケーション１１１を生成し（ステップ６０５）、入学希望者クライアント１１０に送信する（ステップ６０６）。
入学希望者用アプリケーション１１１を受信した入学希望者クライアント１１０では、入学希望者用アプリケーション１１１のインストール処理が行われる。なお、入学希望者に対し、ユーザ登録を受け付けた旨及びユーザ登録受付部１５１の生成した利用者コード２０１が電子メール等により通知される。
模擬試験実施校，入学試験実施校の各ユーザ登録処理では、図７，図８に示すように、試験結果情報提供サーバ１５０がネットワーク１４０を介して各クライアント１２０，１３０のアクセスを受け付け、端末操作者により入力されたユーザ登録情報としての模擬試験実施校登録情報，入学試験実施校登録情報を各クライアント１２０，１３０から受信して（ステップ７０１，８０１）、図６のステップ６０２〜６０６と同様の登録処理を行い（ステップ７０２〜７０６、ステップ８０２〜８０６）、各アプリケーション１２１，１３１を受信した各クライアント１２０，１３１では、各アプリケーション１２１，１３１のインストール処理が行われる。
なお、模擬試験実施校又は入学試験実施校に対し、ユーザ登録を受け付けた旨及びユーザ登録受付部１５１の生成した模擬試験実施校コード３０１又は入学試験実施校コード４０１が電子メール等により通知される。
【００１５】
次に、各入学希望者の試験結果情報の登録処理について説明する。
ユーザ登録されている模擬試験実施校の実施した試験については、各模擬試験実施校クライアント１２０のアプリケーション１２１を用いて送信された各入学希望者の試験結果情報に基づき登録処理を行う。
この場合には、予め模擬試験を受ける入学希望者から模擬試験実施校に対し利用者コード２０１が通知され、模擬試験実施校では通知された利用者コード２０１により各入学希望者を識別して模擬試験実施校用アプリケーション１２１により試験結果が入力される。
試験結果が入力された模擬試験実施校用アプリケーション１２１では、端末利用者の操作に応じて試験結果情報提供サーバ１５０に登録要求がされるとともに、模擬試験実施校用アプリケーション１２１に組み込まれたアプリケーションコードが試験結果情報提供サーバ１５０に送信される。
図９は、模擬試験実施校用アプリケーション１２１による登録要求を受け付けた試験結果情報提供サーバ１５０の試験結果情報の登録処理手順を示すフローチャートである。
試験結果情報提供サーバ１５０が模擬試験実施校用アプリケーション１２１から登録要求を受信すると（ステップ９０１）、アプリケーションコード認証部１５４はアプリケーションコードを取得し（ステップ９０２）、当該アプリケーションコードに基づき模擬試験実施校管理データベース１６２を参照して模擬試験実施校の認証及び特定を行う（ステップ９０３）。
アプリケーションコード認証部１５４により模擬試験実施校の特定がされると、試験結果情報登録部１５５は模擬試験実施校用アプリケーション１２１により送信された試験結果情報を取得し、当該試験結果情報に含まれる利用者コードに基づき入学希望者管理データベース１６１を参照して入学希望者を特定する（ステップ９０４）。
試験結果情報登録部１５５は、特定した各入学希望者について、前記試験結果情報に含まれる試験実施日，試験名，点数，偏差値，順位，科目名の各情報を試験結果情報管理データベース１６４に格納する（ステップ９０５）。
【００１６】
ユーザ登録されていない模擬試験実施校の実施した試験の結果については、当該試験を受けた入学希望者により入学希望者用アプリケーション１１１から入力された試験結果情報に基づき個別に登録処理を行う。
この場合には、各入学希望者に対し模擬試験実施校から通知された試験結果に基づき、入学希望者用アプリケーション１１１から試験結果が入力される。
試験結果が入力された入学希望者用アプリケーション１１１では、入学希望者の操作に応じて試験結果情報提供サーバ１５０に登録要求がされるとともに、入学希望者用アプリケーション１１１に組み込まれたアプリケーションコードが試験結果情報提供サーバ１５０に送信される。
図１０は、入学希望者用アプリケーション１１１によるアクセスを受け付けた試験結果情報提供サーバ１５０の試験結果情報の登録処理手順を示すフローチャートである。
試験結果情報提供サーバ１５０が入学希望者用アプリケーション１１１から登録要求を受信すると（ステップ１００１）、アプリケーションコード認証部１５４はアプリケーションコードを取得し（ステップ１００２）、当該アプリケーションコードに基づき入学希望者管理データベース１６１を参照して入学希望者の認証及び特定を行う（ステップ１００３）。
試験結果情報登録部１５５は、アプリケーションコード認証部１５４の特定した入学希望者について入学希望者用アプリケーション１１１により送信された試験結果情報を取得し、当該試験結果情報に含まれる試験実施日，試験名，点数，偏差値，順位，科目名の各情報を試験結果情報管理データベース１６４に格納する（ステップ１００４）。
【００１７】
以上の試験結果情報登録処理により試験結果情報管理データベース１６４に格納された試験結果情報の閲覧処理について説明する。
入学希望者の閲覧処理では、入学希望者の操作に応じて入学希望者用アプリケーション１１１により試験結果情報提供サーバ１５０に対し閲覧要求がされると、入学希望者用アプリケーション１１１に組み込まれたアプリケーションコードが試験結果情報提供サーバ１５０に送信される。
図１１は、入学希望者用アプリケーション１１１からの閲覧要求を受け付けた試験結果情報提供サーバ１５０の試験結果情報の閲覧処理手順を示すフローチャートである。
試験結果情報提供サーバ１５０が入学希望者用アプリケーション１１１から閲覧要求を受信すると（ステップ１１０１）、アプリケーションコード認証部１５４はアプリケーションコードを取得し（ステップ１１０２）、当該アプリケーションコードに基づき入学希望者管理データベース１６１を参照して入学希望者の認証及び特定を行う（ステップ１１０３）。
試験結果集計部１５６は、アプリケーションコード認証部１５４の特定した入学希望者について試験結果情報管理データベース１６４から過去の試験結果を取得して集計を行う（ステップ１１０４）。また、入学希望者管理データベース１６１から前記入学希望者の入学希望校名２０５を取得する（ステップ１１０５）。取得した入学希望校名２０５に基づき入学希望者管理データベース１６１から同一校希望者を特定し、当該同一校希望者の利用者コード２０１に基づき試験結果情報管理データベース１６４から前記同一校希望者の過去の試験結果を取得して集計を行う（ステップ１１０６）。ここで、同一校希望者とは、入学希望者管理データベース１６１の入学希望校名が同一の者を示す。
試験結果判定部１５７は、前記入学希望者についての集計結果を取得し前記入学希望者の合否予想判定を行うとともに（ステップ１１０７）、前記同一校希望者の集計結果を取得し前記入学希望者の集計結果との比較による順位の判定を行う（ステップ１１０８）。ここで、合否予想判定の方法としては、例えば、過去の試験結果に含まれる偏差値の平均値を算出し、当該算出結果に基づき入学試験実施校管理データベース１６３に含まれる合否判定用の各偏差値４０３〜４０６と比較することにより合否判定を行う。順位の判定については、例えば、同一校希望者の偏差値の平均値を比較することにより行う。
試験結果判定部１５７は、入学希望者の集計結果，合否予想判定結果及び順位を含む試験結果情報を入学希望者クライアント１１０に送信する（ステップ１１０９）。
入学希望者クライアント１１０では、受信した合否予想判定結果，順位等が入学機希望者用アプリケーション１１１により表示され、各入学希望者は自己の試験結果情報を閲覧することが可能となる。
例えば、「過去の試験の平均偏差値：○○，順位：○○位／○○○人」のように試験結果情報が表示される。
【００１８】
模擬試験実施校の閲覧処理では、当該模擬試験実施校の端末操作者の操作に応じて模擬試験実施校用アプリケーション１２１により試験結果情報提供サーバ１５０に対し閲覧要求がされると、模擬試験実施校用アプリケーション１２１に組み込まれたアプリケーションコードが試験結果情報提供サーバ１５０に送信される。この場合には、入学希望者を特定して閲覧要求を行うことが必要となるため、予め各入学希望者から模擬試験実施校に通知された利用者コード２０１が入力され、当該利用者コード２０１が閲覧要求に含まれて試験結果情報提供サーバ１５０に送信される。
図１２は、模擬試験実施校用アプリケーション１２１からの閲覧要求を受け付けた試験結果情報提供サーバ１５０の試験結果情報の閲覧処理手順を示すフローチャートである。
試験結果情報提供サーバ１５０が模擬試験実施校用アプリケーション１２１から閲覧要求を受信すると（ステップ１２０１）、アプリケーションコード認証部１５４はアプリケーションコードを取得し（ステップ１２０２）、当該アプリケーションコードに基づき模擬試験実施校管理データベース１６１を参照して模擬試験実施校の認証及び特定を行う（ステップ１２０３）。
模擬試験実施校の認証及び特定がされると、試験結果情報登録部１５５は模擬試験実施校用アプリケーション１２１により送信された閲覧要求に含まれる利用者コード２０１に基づき入学希望者管理データベース１６１を参照して入学希望者を特定する（ステップ１２０４）。
その後、図１１のステップ１１０４〜１１０９と同様の処理を行い（ステップ１２０５〜１２０９）、試験結果情報を模擬試験実施校クライアント１２０に送信する（ステップ１２１０）。模擬試験実施校クライアント１２０では、受信した合否予想判定結果，順位等が模擬試験実施校用アプリケーション１２１により表示され、各入学希望者についての試験結果情報を閲覧することが可能となる。
【００１９】
入学試験実施校の閲覧処理では、入学試験実施校の実施した入学試験の結果を含む試験結果情報が必要となるため、前記入学試験の結果の登録処理と試験結果情報の閲覧処理とを行う。
この場合には、予め各入学希望者から入学試験実施校に対し利用者コード２０１が通知され、入学試験実施校では各入学希望者について利用者コード２０１と試験結果とが入学試験実施校用アプリケーション１３１から入力される。
試験結果が入力された入学試験実施校用アプリケーション１３１では、入学希望者の操作に応じて試験結果情報提供サーバ１５０に登録要求及び閲覧要求がされるとともに、入学希望者用アプリケーション１１１に組み込まれたアプリケーションコードが試験結果情報提供サーバ１５０に送信される。
図１３は、入学試験実施校用アプリケーション１３１による登録・閲覧要求を受け付けた試験結果情報提供サーバ１５０の試験結果情報の登録・閲覧処理手順を示すフローチャートである。
試験結果情報提供サーバ１５０が入学試験実施校用アプリケーション１３１から登録・閲覧要求を受信すると（ステップ１３０１）、アプリケーションコード認証部１５４はアプリケーションコードを取得し（ステップ１３０２）、当該アプリケーションコードに基づき入学試験実施校管理データベース１６３を参照し、入学試験実施校の認証及び特定を行う（ステップ１３０３）。
アプリケーションコード認証部１５４により入学試験実施校が特定されると、試験結果情報登録部１５５は入学試験実施校用アプリケーション１３１により送信された試験結果情報を取得し（ステップ１３０４）、アプリケーションコード認証部１５４の特定した入学試験実施校について当該試験結果情報に含まれる利用者コード２０１に基づき入学希望者管理データベース１６１を参照して入学希望者を特定する（ステップ１３０５）。
試験結果情報登録部１５５は、特定した試験実施校及び入学希望者について試験結果情報に含まれる試験実施日，試験名，点数，偏差値，順位，科目名の各情報を試験結果情報管理データベース１６４に格納する（ステップ１３０６）。
試験結果集計部１５６は、試験結果情報登録部１５５の特定した各入学希望者の利用者コードを取得し、当該利用者コードに基づき試験結果情報管理データベース１６４から過去の全試験結果を取得して集計する（ステップ１３０７）。
試験結果判定部１５７は、試験結果集計部１５６の集計結果を取得し、当該集計結果に基づき入学希望者の順位を判定し（ステップ１３０８）、前記集計結果及び入学希望者の順位を入学試験実施校クライアント１３０に送信する（ステップ１３０９）。
入学試験実施校は、入学試験実施校用アプリケーション１３１により表示された各入学希望者の順位及び過去の試験結果を入学許否判定の参考資料とする。
【００２０】
以上のように、本発明によれば複数の模擬試験の結果を登録する試験結果登録手段と、前記試験結果登録手段に登録された過去の試験結果を集計し、当該集計結果に基づき入学希望校の合否判定を行う合否判定手段とを備え、入学希望者の閲覧要求に応じて集計結果及び合否予想判定結果を試験結果情報として入学希望者のクライアント端末に送信することとしたので、過去の試験結果に基づく総合的な試験結果情報を提供することができる。
また、受験予備校や入学希望者の在籍校等の模擬試験実施校からの閲覧要求に応じて、前記試験結果情報を各クライアント端末に送信することとしたので、総合的な試験結果情報に基づく進路指導を行わせることができる。
また、同一校希望者についての集計結果との比較により、同一校希望者の中での順位を判定する手段を備え、当該順位を試験結果情報に含めて送信することとしたので、他の同一校希望者との関係での各入学希望者の成績の位置付けを、過去の総合的な試験結果情報に基づき客観的に判定することができる。
また、入学試験実施校に対し、入学試験の結果を含む過去の試験結果の集計を行う手段と、当該集計結果に基づき各入学希望者の順位を判定する手段とを備え、集計結果及び順位を入学試験実施校のクライアント端末に送信することとしたので、入学許否判定の参考資料として有効な資料の提供を行うことができる。従って、入学試験実施校では入学試験の結果だけでなく過去の模擬試験の結果を踏まえた総合的な資料に基づき入学許否の判定を行うことが可能となる。
【００２１】
なお、前記実施の形態では、試験結果情報として過去の全ての試験結果の集計をすることとしているが、これに限るものではなく、各クライアントにより指定された一部の試験結果の集計を行うこととしてもよい。これにより、例えば模擬試験の実施日に基づき最近３ヶ月内に実施された模擬試験の結果の集計や、模擬試験実施校又は試験名に基づき全国レベルで実施された模擬試験の結果のみの集計を行うことにより、より適切な判断資料の提供を行うことができる。
また、過去の試験結果の集計については、入学を希望する入学試験実施校の試験科目と同一の科目についての試験結果のみを集計することとしてもよい。また、前記実施の形態では、試験結果情報として過去の模擬試験の結果のみを提供することとしているが、各入学希望者の在籍する学校の定期試験の結果を試験結果情報に含めることとしてもよい。これにより、入学試験実施校における入学許否判定の参考資料としての価値を高めることができる。
また、試験結果情報の集計については、各模擬試験の偏差値の平均値を算出することとしているが、各模擬試験のレベル，規模等を考慮して各試験結果としての偏差値を修正して平均値を算出することとしてもよい。また、偏差値の平均値に限られず、他の方法により試験結果を集計することとしてもよい。
【００２２】
【発明の効果】
以上のように、本発明によれば複数の模擬試験の結果を登録する試験結果登録手段と、前記試験結果登録手段に登録された過去の試験結果情報を集計し、当該集計結果に基づき入学希望校の合否判定を行う合否判定手段とを備え、閲覧要求に応じて集計結果及び合否判定結果を入学希望者のクライアント端末に送信することとしたので、過去の試験結果に基づく総合的な試験結果情報を提供することができる。
【図面の簡単な説明】
【図１】本実施の形態に係る試験結果情報提供システムの概略構成を示すブロック図である。
【図２】入学希望者管理データベースのデータ構造の一例を示す図である。
【図３】模擬試験実施校管理データベースのデータ構造の一例を示す図である。
【図４】入学試験実施校管理データベースのデータ構造の一例を示す図である。
【図５】試験結果情報管理データベースのデータ構造の一例を示す図である。
【図６】入学希望者のユーザ登録処理手順を示すフローチャートである。
【図７】模擬試験実施校のユーザ登録処理手順を示すフローチャートである。
【図８】入学試験実施校のユーザ登録処理手順を示すフローチャートである。
【図９】模擬試験実施校による試験結果の登録処理手順を示すフローチャートである。
【図１０】入学希望者による試験結果の登録処理手順を示すフローチャートである。
【図１１】入学希望者による試験結果情報の閲覧処理手順を示すフローチャートである。
【図１２】模擬試験実施校による試験結果情報の閲覧処理手順を示すフローチャートである。
【図１３】入学試験実施校による試験結果の登録処理及び試験結果情報の閲覧処理手順を示すフローチャートである。
【符号の説明】
１１０　入学希望者クライアント、１１１　入学希望者用アプリケーション、１２０　模擬試験実施校クライアント、１２１　模擬試験実施校用アプリケーション、１３０　入学試験実施校クライアント、１３１　入学試験実施校用アプリケーション、１４０　ネットワーク、１５０　試験結果情報提供サーバ、１５１ユーザ登録受付部、１５２　アプリケーションコード生成部、１５３　アプリケーション生成部、１５４　アプリケーションコード認証部、１５５　試験結果情報登録部、１５６　試験結果集計部、１５７　試験結果判定部、１６１　入学希望者管理データベース、１６２　模擬試験実施校管理データベース、１６３　入学試験実施校管理データベース、１６４　試験結果情報管理データベース、２０１，５０１　利用者コード、２０２　氏名、２０３　学年、２０４　年齢、２０５　入学希望校名、２０６　郵便番号、２０７　住所、２０８　電話番号、２０９　（入学希望者用）アプリケーションコード、３０１　模擬試験実施校コード、３０２　名称、３０３　（模擬試験実施校用）アプリケーションコード、４０１　入学試験実施校コード、４０２　名称、４０３　安全合格圏偏差値、４０４　標準合格圏偏差値、４０５　合格挑戦圏偏差値、４０６　合格低率偏差値、４０７　（入学試験実施校用）アプリケーションコード、５０２　試験実施校コード、５０３　実施日、５０４　試験名、５０５　点数、５０６　偏差値、５０７　順位、５０８　科目名。
【図１】
2004126853.tif 000003
【図２】
2004126853.tif 000004
【図３】
2004126853.tif 000005
【図４】
2004126853.tif 000006
【図５】
2004126853.tif 000007
【図６】
2004126853.tif 000008
【図７】
2004126853.tif 000009
【図８】
2004126853.tif 000010
【図９】
2004126853.tif 000011
【図１０】
2004126853.tif 000012
【図１１】
2004126853.tif 000013
【図１２】
2004126853.tif 000014
【図１３】
2004126853.tif 000015